(57)【要約】 【課題】  この発明は、装置の大型化や高コスト化を招かない遠距離間圧力分布計測システムを提供すること。【解決手段】  Ｘ個の印加端子１０（Ｘは二以上の自然数）とＹ個のレシーブ端子５０（Ｙは二以上の自然数）とを備える解析処理装置ＰＣの端子群を、配線分岐具ＤによりＸ・Ｙ＝Ｖ個の対になる印加・レシーブ端子５０，８０に分岐し、分岐されたＶ個の対になる印加・レシーブ端子５０，８０にそれぞれケーブルを介して圧力センサＳを接続しており、前記圧力センサＳはＶ個の座席に作用する重量を各座席Ｚに設置されている。【選択図面】  図１
2006184255.tif 000002
【特許請求の範囲】
【請求項１】
Ｘ個の印加端子（Ｘは二以上の自然数）とＹ個のレシーブ端子（Ｙは二以上の自然数）とを備える解析処理装置の端子群を、配線分岐具によりＸ・Ｙ＝Ｖ個の対になる印加・レシーブ端子に分岐し、分岐されたＶ個の対になる印加・レシーブ端子にそれぞれケーブルを介して圧力センサを接続しており、前記圧力センサはＶ個の座席に作用する重量を各座席に設置されていることを特徴とする遠距離間圧力分布計測システム。    
【請求項２】
Ｘ個の印加端子（Ｘは二以上の自然数）とＹ個のレシーブ端子（Ｙは二以上の自然数）とを備える解析処理装置の端子群を、配線分岐具によりＸ×Ｙ＝Ｖ個の対になる印加・レシーブ端子に分岐し、分岐されたＶ個の対になる印加・レシーブ端子にそれぞれケーブルを介して圧力センサを接続しており、前記圧力センサはＶ個に区画されて成る単位床面に作用する重量を各単位床面別に検出すべく各単位床面に設置されていることを特徴とする遠距離間圧力分布計測システム。
【請求項３】
配線分岐具は、Ｘ個（Ｘは二以上の自然数）の印加端子を有する処理装置接続側の印加端子群と、前記印加端子群の各端子からそれぞれ延設させて成る第１配線群と、前記第１配線群の各配線からＸ個の部位で引き出した第１分岐配線を各部位ごとに集合させて成るＸ個の第１分岐配線群と、各第１分岐配線群における各配線の端末に設けたＸ個のセンサ接続側の印加端子群とを備えている第１基材と、
Ｙ個（Ｙは二以上の自然数）のレシーブ端子を有する処理装置接続側のレシーブ端子群と、前記レシーブ端子群の各端子からそれぞれ延設させた第２配線群と、前記第２配線群の各配線をそれぞれＹ本に分岐させた第２分岐配線を一纏めにして成るＹ個の第２分岐配線群と、Ｙ個の第２分岐配線群の端末に設けたＹ個のセンサ接続側のレシーブ端子群を備えている第２基材とを具備し、
処理装置接続側における対になる印加・レシーブ端子相互により処理装置接続側の接続端子部を、センサ接続側における対になる印加・レシーブ端子相互によりセンサ接続側の接続端子部を、それぞれ構成してあることを特徴とする請求項１又は２記載の遠距離間圧力分布計測システム。
【請求項４】
配線分岐具は、Ｙ個（Ｙは二以上の自然数）のレシーブ端子を有する処理装置接続側のレシーブ端子群と、前記レシーブ端子群の各端子からそれぞれ延設させて成る第１配線群と、前記第１配線群の各配線からＹ個の部位で引き出した第１分岐配線を各部位ごとに集合させて成るＹ個の第１分岐配線群と、各第１分岐配線群における各配線の端末に設けたＹ個のセンサ接続側のレシーブ端子群とを備えている第１基材と、
Ｘ個の印加端子を有する処理装置接続側の印加端子群と、前記印加端子群の各端子からそれぞれ延設させた第２配線群と、前記第２配線群の各配線をそれぞれＸ本に分岐させた第２分岐配線を一纏めにして成るＸ個の第２分岐配線群と、Ｘ個の第２分岐配線群の端末に設けたＸ個のセンサ接続側の印加端子群を備えている第２基材とを具備し、
処理装置接続側における対になる印加・レシーブ端子相互により処理装置接続側の接続端子部を、センサ接続側における対になる印加・レシーブ端子相互によりセンサ接続側の接続端子部を、それぞれ構成してあることを特徴とする請求項１又は２記載の遠距離間圧力分布計測システム。
【請求項５】
圧力センサは、一対のベースフィルムにそれぞれセンサ構成要素を印刷形成して成り、一方のセンサ構成要素は印加電極群と印加配線群と印加端子群を有すると共に各印加電極上に感圧インク層を印刷形成して成り、他方のセンサ構成要素はレシーブ電極群とレシーブ配線群とレシーブ端子群を有すると共に各レシーブ電極上に感圧インク層を印刷形成して成り、両方の感圧インク層を対向させて感圧部を形成する態様で、一対のベースフィルム相互を貼り合わせて構成されていることを特徴とする請求項１乃至４のいずれかに記載の遠距離間圧力分布計測システム。
【発明の詳細な説明】
【技術分野】
【０００１】
この発明は、相互に遠く離れた多点位置での圧力分布が計測できるシステム（本件においては遠距離間圧力分布計測システムという）に関するものである。
【背景技術】
【０００２】
シート状の圧力センサは、一般的に、平面状の一方のベースフィルムに行電極を形成すると共に前記行電極の上面に感圧インクを塗布して成るものと、平面状の他方のベースフィルムに列電極を形成すると共に前記列電極の上面に感圧インクを塗布して成るものとを、前記行・列電極が交差する態様で張り合わされるようにして構成されている（例えば、特許文献１。）。したがって、この圧力センサは、行・列電極の交差点の全てが感圧部となるので、多点で圧力検知ができるという長所を有している。
【０００３】
しかしながら、上記形態の圧力センサでは、ベースフィルムやスクリーン印刷機の大きさに制限があり、大型のセンサを製造することは困難である。
【０００４】
ところで、近年、大型の感圧分布センサは、床の上に施設して人や動物などの歩行移動をモニターしたり、列車の全座席に施設して着座状況を計測するなどの用途、すなわち遠距離間圧力分布計測システムとして使用されることが期待されている。これまでは、前記内容を実現する方法として、複数の感圧センサを並べて施設し、各別に信号処理を行った上で、あたかも同時に計測しているが如くパソコン上で表示解析する手法を一般的であった。
【０００５】
しかしながら、上記方法を採用した場合、各センサ毎に信号処理系統が必要となり、その結果、装置の大型化や高コスト化を招くという問題があった。
【特許文献１】特許３３３８９８３号公報
【発明の開示】
【発明が解決しようとする課題】
【０００６】
そこで、この発明は、装置の大型化や高コスト化を招かない遠距離間圧力分布計測システムを提供することを課題とする。
【課題を解決するための手段】
【０００７】
（請求項１記載の発明）
この発明は、Ｘ個の印加端子（Ｘは二以上の自然数）とＹ個のレシーブ端子（Ｙは二以上の自然数）とを備える解析処理装置の端子群を、配線分岐具によりＸ×Ｙ＝Ｖ個の対になる印加・レシーブ端子に分岐し、分岐されたＶ個の対になる印加・レシーブ端子にそれぞれケーブルを介して圧力センサを接続しており、前記圧力センサはＶ個の座席に作用する重量を各座席に設置されている。
【０００８】
（請求項２記載の発明）
この発明は、Ｘ個の印加端子（Ｘは二以上の自然数）とＹ個のレシーブ端子（Ｙは二以上の自然数）とを備える解析処理装置の端子群を、配線分岐具によりＸ×Ｙ＝Ｖ個の対になる印加・レシーブ端子に分岐し、分岐されたＶ個の対になる印加・レシーブ端子にそれぞれケーブルを介して圧力センサを接続しており、前記圧力センサはＶ個に区画されて成る単位床面に作用する重量を各単位床面別に検出すべく各単位床面に設置されている。
【０００９】
（請求項３記載の発明）
この発明の遠距離間圧力分布計測システムは、上記請求項１又は２記載の発明に関し、配線分岐具は、Ｘ個（Ｘは二以上の自然数）の印加端子を有する処理装置接続側の印加端子群と、前記印加端子群の各端子からそれぞれ延設させて成る第１配線群と、前記第１配線群の各配線からＸ個の部位で引き出した第１分岐配線を各部位ごとに集合させて成るＸ個の第１分岐配線群と、各第１分岐配線群における各配線の端末に設けたＸ個のセンサ接続側の印加端子群とを備えている第１基材と、
Ｙ個（Ｙは二以上の自然数）のレシーブ端子を有する処理装置接続側のレシーブ端子群と、前記レシーブ端子群の各端子からそれぞれ延設させた第２配線群と、前記第２配線群の各配線をそれぞれＹ本に分岐させた第２分岐配線を一纏めにして成るＹ個の第２分岐配線群と、Ｙ個の第２分岐配線群の端末に設けたＹ個のセンサ接続側のレシーブ端子群を備えている第２基材とを具備し、
処理装置接続側における対になる印加・レシーブ端子相互により処理装置接続側の接続端子部を、センサ接続側における対になる印加・レシーブ端子相互によりセンサ接続側の接続端子部を、それぞれ構成してある。
【００１０】
（請求項４記載の発明）
この発明の遠距離間圧力分布計測システムは、上記請求項１又は２記載の発明に関し、配線分岐具は、Ｙ個（Ｙは二以上の自然数）のレシーブ端子を有する処理装置接続側のレシーブ端子群と、前記レシーブ端子群の各端子からそれぞれ延設させて成る第１配線群と、前記第１配線群の各配線からＹ個の部位で引き出した第１分岐配線を各部位ごとに集合させて成るＹ個の第１分岐配線群と、各第１分岐配線群における各配線の端末に設けたＹ個のセンサ接続側のレシーブ端子群とを備えている第１基材と、
Ｘ個（Ｘは二以上の自然数）の印加端子を有する処理装置接続側の印加端子群と、前記印加端子群の各端子からそれぞれ延設させた第２配線群と、前記第２配線群の各配線をそれぞれＸ本に分岐させた第２分岐配線を一纏めにして成るＸ個の第２分岐配線群と、Ｘ個の第２分岐配線群の端末に設けたＸ個のセンサ接続側の印加端子群を備えている第２基材とを具備し、
処理装置接続側における対になる印加・レシーブ端子相互により処理装置接続側の接続端子部を、センサ接続側における対になる印加・レシーブ端子相互によりセンサ接続側の接続端子部を、それぞれ構成してある。
【００１１】
（請求項５記載の発明）
この発明の遠距離間圧力分布計測システムは、上記請求項１乃至４のいずれかに記載の発明に関し、圧力センサは、一対のベースフィルムにそれぞれセンサ構成要素を印刷形成して成り、一方のセンサ構成要素は印加電極群と印加配線群と印加端子群を有すると共に各印加電極上に感圧インク層を印刷形成して成り、他方のセンサ構成要素はレシーブ電極群とレシーブ配線群とレシーブ端子群を有すると共に各レシーブ電極上に感圧インク層を印刷形成して成り、両方の感圧インク層を対向させて感圧部を形成する態様で、一対のベースフィルム相互を貼り合わせて構成されている。
【発明の効果】
【００１２】
この発明の遠距離間圧力分布計測システムでは、装置の大型化や高コスト化を招かないことになる。つまり、装置の小型化及び低コスト化ができる。
【発明を実施するための最良の形態】
【００１３】
以下にこの発明の遠距離間圧力分布計測システムを実施するための最良の形態としての実施例について詳細に説明する。
【実施例１】
【００１４】
図１は列車の着座管理用の遠距離間圧力分布計測システム（以下、列車の着座管理用システムという）概念図、図２は列車の着座管理用システムに使用される圧力センサＳの平面図、図３は前記圧力センサＳの分解図、図４〜図９は列車の着座管理用システムに使用される配線分岐具Ｄの説明図、図１０は解析処理装置ＰＣによる圧力センサＳのスキャンの説明図を示している。
【００１５】
（この列車の着座管理用システムについて）
この列車の着座管理用システムでは、図１に示すように、解析処理装置ＰＣ、コネクタＣＴ、接続具ＳＴ、中継コネクタＣ１、配線分岐具Ｄ、中継コネクタＣ２、ＦＰＣケーブルＫ、中継コネクタＣ３、圧力センサＳの順序で接続されており、前記接続状態において、解析処理装置ＰＣによるスキャンにより圧力センサＳの感圧部９２に作用した重量（力や圧力）を電気抵抗値として検出している。
【００１６】
なお、この実施例では、図１に示すように、解析処理装置のコネクタＣＴの端子群、接続具ＳＴ、中継コネクタＣ１，Ｃ２の端子群は、それぞれ四対の印加・レシーブ端子を有し、中継コネクタＣ３は一対の印加・レシーブ端子を有している。また、配線分岐具Ｄは解析処理装置ＰＣ側の四対の印加・レシーブ端子を有し、圧力センサＳ側は十六対の印加・レシーブ端子を有している。
【００１７】
以下に、この列車の着座管理用システムの主要な構成について説明する。
（圧力センサＳについて）
この圧力センサＳは、図２や図３に示すように、複雑な形状や曲面への装着を可能とするため、端子部９０から直線状の配線部９１を延設し且つ延設した配線から左右にそれぞれ二個（合計四個）の感圧部９２が枝分かれした形態を採っている。
【００１８】
ここで、この圧力センサＳは、図２や図３に示すように、レシーブ電極９２ａ（四個）、配線９１ａ（一本）及びレシーブ端子９０ａ（一個）を印刷形成すると共に前記レシーブ電極９２ａ上に感圧インク層９２ａ’を印刷形成して成るベースフィルム９ａと、印加電極９２ｂ（四個）、配線９１ｂ（一本）及び印加端子９０ｂ（一個）を印刷形成すると共に前記印加電極９２ｂ上に感圧インク層９２ｂ’を印刷形成して成るベースフィルム９ｂを具備しており、前記レシーブ電極９２ａ側の感圧インク層９２ａ’と印加電極９２ｂの感圧インク層９２ｂ’を除いて絶縁層を介してベースフィルム９ａ，９ｂ相互を貼り合わすようにして構成されている。
【００１９】
次に、圧力センサＳを構成する材料等は以下の通りである。
【００２０】
「ベースフィルム９ａ，９ｂ」
可撓性を有する各種樹脂等であれば使用できるが、例えば、ポリエステル樹脂、ポリイミド樹脂等が採用できる。なお、厚みは１０〜１００μｍである。
【００２１】
「印加電極９２ｂ、レシーブ電極９２ａ、配線９１ａ、配線９１ｂ、レシーブ端子９０ａ、印加端子９０ｂ」
これらは導電性インクにより構成されている。導電性インクとしては、各種レジン（例えばポリエステルレジン）に銀の粉末を混合して成る銀インクがある。なお、印刷形成された導電性インクの厚みは１０〜２０μである。
【００２２】
「感圧インク層９２ａ’，９２ｂ’」
レジンに半導体粒子と導体粒子を含むインクにより構成されている。なお、厚みは１０〜５０μｍである。
【００２３】
「絶縁層」
紫外線硬化レジンにより構成されている。厚みは１０〜５０μｍである。
【００２４】
上記した全ての材料等は後述する配線分岐具Ｄにも当てはめることができる。
（配線分岐具Ｄの構成について）
この配線分岐具Ｄは、図４に示すように、第１基材Ａと、第２基材Ｂと、前記第１基材Ａと第２基材Ｂとの間に介在させた中間絶縁層Ｃとから構成されている。
【００２５】
第１基材Ａは、図４に示すように、弾性（又は可撓性）を有する樹脂フィルムＦ１に、四個の印加端子１０を有する処理装置接続側の印加端子群１と、前記印加端子群１の各端子からそれぞれ延設させて成る第１配線群２と、前記第１配線群２の各配線から四個の部位で引き出した第１分岐配線３０を各部位ごとに集合させて成る四個の第１分岐配線群３と、各第１分岐配線群３における各配線の端末に設けた四個のセンサ接続側の印加端子群４とを備えて成る。なお、この第１基材Ａは具体的には、図５に示す如く樹脂フィルムＦ１上に印刷形成された第１配線群２の各配線２０の一部及び第１分岐配線群３と、図６に示す如く多くのスルーホールｈを有し且つ第１配線群２の各配線２０の一部及び第１分岐配線群３を覆うべく印刷形成された絶縁層Ｈと、図５〜図７に示す如く前記スルーホールｈを介して、第１配線群２と第１分岐配線群３とを接続すべく絶縁層Ｈ上に印刷形成された配線群２１とが積層一体化される態様で構成されている。
【００２６】
第２基材Ｂは、図４に示すように、弾性（又は可撓性）を有する樹脂フィルムＦ２に、四個のレシーブ端子５０を有する処理装置接続側のレシーブ端子群５と、前記レシーブ端子群５の各端子からそれぞれ延設させた第２配線群６と、前記第２配線群６の各配線をそれぞれ四本に分岐させた第２分岐配線７０を一纏めにして成る四個の第２分岐配線群７と、四個の第２分岐配線群７の端末に設けた四個のセンサ接続側のレシーブ端子群８を備えて成る。
【００２７】
中間絶縁層Ｃは、図９に示すように上記第１基材Ａ及び第２基材Ｂの平面視形状にあわせて形成してある。
【００２８】
そして、上記第１基材Ａと第２基材Ｂとを、図９に示した中間絶縁層Ｃを介して貼り合わせるようにしてあり、対になる印加・レシーブ端子１０，５０により処理装置接続側の接続端子部Ｔ１を、対になる印加・レシーブ端子４０，８０によりセンサ接続側の接続端子部Ｔ２を、それぞれ構成してある。
【００２９】
（配線分岐具Ｄを使用した場合におけるスキャンできる圧力センサＳの数等について）
この配線分岐具Ｄを使用した場合、解析処理装置側の接続端子Ｔ１等は四個の端子ｔしか持たないものであるにもかかわらず、図１に示すように、配線分岐具Ｄを介して十六個（４×４個）の圧力センサＳが接続できるものとなり、その結果、十六個の圧力センサＳにおけるスキャンが可能になる。つまり、この配線分岐具Ｄを使用することにより、十六個（４×４個）もの座席Ｚに人が座っているか否かを判断することができる。
【００３０】
（解析処理装置ＰＣによる圧力センサＳのスキャンについて）
このシステムでは、図１０に示すように、圧力センサＳからの出力を読み取らせるための回路を有しており、インターフェイス回路ＩＦを介して解析処理装置ＰＣと接続されている。なお、上記した解析処理装置ＰＣ、インターフェイス回路ＩＦ及び出力の読み取り回路の基本的動作は公知の特表昭６２−５０２６６５号に開示されているので、ここでは詳述しない。
【００３１】
図１０に示したスイッチＳＷと抵抗Ｒは、感圧部９２の抵抗値の模式図として表現したものであり、感圧部９２に圧力が加わったときにはスイッチＳＷが閉状態となって印加側・レシーブ側電極９２ｂ，９２ａ相互間の抵抗値が無限大（高抵抗）から数Ω（低抵抗）に切り替わるものとしている。
【００３２】
(1) 先ず、上記した圧力センサＳからの出力情報を読み取るときは、図１０に示す如く前記読み取り回路と印加側・レシーブ側電極９２ｂ，９２ａとを中継コネクタＣ１を介して接続状態にする。
【００３３】
(2) ここで、インターフェイス回路ＩＦからのクロック信号「Ｈ」によって印加電圧（−Ｖ）は、増幅器１０３（この増幅器１０３の入力側は抵抗１０２により接地電位に保たれている）を介して印加側電極９２ｂに印加される。
【００３４】
(3) 印加側電極９２ｂへの電圧の印加から次のクロック信号「Ｈ」による印加側電極９２ｂへの電圧の印加までの間に、列カウンター１０７からの出力によりマルチプレクサ１０６のスイッチが切り替わり、レシーブ側電極９２ａが順にスキャンされる。
【００３５】
(4) ここで、感圧部９２に圧力が加わると、スイッチＳＷが閉状態になると共に圧力に応じた低抵抗が減少変化してレシーブ側電極９２ａに順に電流が流れ、それぞれの列の抵抗１０４及び増幅器１０５で反転増幅される。反転増幅された出力電圧は列のマルチプレクサ１０６により順次、レジスタ１０８に送られデジタル信号としてインターフェイス回路ＩＦに送られる。
【００３６】
(5) なお、この実施例ではインターフェイス回路ＩＦに送られてきた情報は、パーソナルコンピュータＰＣにより読み取られ、ディスプレイ上に感圧部９２に加わった圧力に対応した数字が表示されるようになっている。
【００３７】
（この列車の着座管理用システムの優れた効果について）
この列車の着座管理用システムでは、上記した如く、ユニット化された多数の圧力センサＳをＦＰＣケーブルＫで連結し、信号処理を配線分岐具Ｄを使用して行うものとしてあるから、離れた位置の多数の圧力センサＳの圧力を一台のシステムで計測（着座の有無）することが可能となる。
【００３８】
したがって、列車の着座管理用システムの構成によると、装置の小型化及び低コスト化ができる。
【００３９】
（より多くの座席Ｚに圧力センサＳを装着するための配線分岐具Ｄの構成について）
「コネクタＣＴ等の端子群について」
解析処理装置のコネクタＣＴの端子群、端子群Ｔ、コネクタＣ１，Ｃ２，Ｃ３の端子群は、それぞれ十四個の印加・レシーブ端子を有するものとする（一例）。
【００４０】
「第１基材Ａ及び第２基材Ｂの構成例について」
この発明においては、Ｘ個（Ｘは二以上の自然数）の印加端子１０を有する処理装置接続側の印加端子群１と、前記印加端子群１の各端子からそれぞれ延設させて成る第１配線群２と、前記第１配線群２の各配線からＸ個の部位で引き出した第１分岐配線３０を各部位ごとに集合させて成るＸ個の第１分岐配線群３と、各第１分岐配線群３における各配線の端末に設けたＸ個のセンサ接続側の印加端子群４とを備えている第１基材Ａと、
Ｙ個（Ｙは二以上の自然数）のレシーブ端子５０を有する処理装置接続側のレシーブ端子群５と、前記レシーブ端子群５の各端子からそれぞれ延設させた第２配線群６と、前記第２配線群６の各配線をそれぞれＹ本に分岐させた第２分岐配線６０を一纏めにして成るＹ個の第２分岐配線群６と、Ｙ個の第２分岐配線群６の端末に設けたＹ個のセンサ接続側のレシーブ端子群４を備えている第２基材とを具備し、
処理装置接続側における対になる印加・レシーブ端子１０，５０相互により処理装置接続側の接続端子部Ｔ１を、センサ接続側における対になる印加・レシーブ端子４０，８０相互によりセンサ接続側の接続端子部Ｔ２を、それぞれ構成してある。
【００４１】
この構成において、Ｘ＝十四，Ｙ＝十四とすれば、一個の処理装置接続側端子部Ｔ１に対して、十四個のセンサ接続側端子部Ｔ２（各センサ接続側端子部Ｔ２は十四個のセンサ接続側の印加・レシーブ端子を有する）を構成させることができる。したがって、上記した解析処理装置側の端子Ｔを使用すると、１４×１４＝１９６個の圧力センサＳで力や圧力の測定ができることになる。
【００４２】
前記構成にすれば、１９６個の座席Ｚにそれぞれ圧力センサＳを装着できる。
【００４３】
なお、上記ＸとＹとは同数である必要はなく、例えばＸ＝１０，Ｙ＝１３に設定することも可能である。
【実施例２】
【００４４】
図１１は床の上に施設して人や動物などの歩行移動をモニターするための遠距離間圧力分布計測システム（以下、移動管理用システムという）概念図を示している。
【００４５】
この移動管理用システムは室内やゲートの床部分に敷設されるものであり、図１１に示すように、上記実施例１のシステムと同様に、解析処理装置ＰＣ、コネクタＣＴ、解析処理装置側の接続具ＳＴ、中継コネクタＣ１、配線分岐具Ｄ、中継コネクタＣ２、ＦＰＣケーブルＫ、中継コネクタＣ３、圧力センサＳの順序で接続されるようにして形成されている。
【００４６】
前記圧力センサＳは、図１１に示すように、四つの方形状の感圧部９２から構成されており、全体として大きな正方形の前記床を形成している。
【００４７】
ここで、上記圧力センサＳは、実施例１のものと同等に、レシーブ電極９２ａ（四個）、配線９１ａ（一本）及び端子９０ａ（一個）を印刷形成すると共に前記レシーブ電極９２ａ上に感圧インク層９２ａ’を印刷形成して成るベースフィルム９ａと、印加電極９２ｂ（四個）、配線９１ｂ（一本）及び端子９０ｂ（一個）を印刷形成すると共に前記印加電極９２ｂ上に感圧インク層９２ｂ’を印刷形成して成るベースフィルム９ｂを具備しており、前記レシーブ電極９２ａ側の感圧インク層９２ａ’と印加電極９２ｂの感圧インク層９２ｂ’を除いて絶縁層を介してベースフィルム９ａ，９ｂ相互を貼り合わすようにして構成されている（図２及び図３参照）。なお、この実施例２では、図１２に示すように、圧力センサＳを四つ配置させて、十六個（縦４個×横４個）の感圧部９２を有している。
【００４８】
また、解析処理装置ＰＣによる圧力センサＳのスキャンについては、実施例１と同じものが採用できる。
【００４９】
さらに、より多くの感圧点を有する移動管理用システムを作成する場合には、実施例１の（より多くの座席Ｚに圧力センサＳを装着するための構成について）の欄に記載した配線分岐具Ｄと同じ構成のものを利用すればよい。このようにすると、移動管理がより詳細に又は広い範囲で行うことができる。
【００５０】
（この移動管理用システムの優れた効果について）
この移動管理用システムでは、上記した如く、ユニット化された多数の圧力センサＳをＦＰＣケーブルＫで連結し、信号処理を配線分岐具Ｄを使用して行うものとしてあるから、離れた一の圧力分布を一台のシステムで計測することが可能となる。
【００５１】
したがって、この移動管理用システムの構成によると、装置の小型化及び低コスト化ができる。
【００５２】
（他の実施の形態）
上記した実施例１、２では、第１・第２基材の最外層を、弾性を有する樹脂製フィルムで構成させたが、これに限定されることなく、プリント基板であってもよい。このように第１・第２基材をプリント基板で構成させた場合は、通常のエッチングで配線等を形成することができる。更に、第１・第２基材の最外層は、印刷が可能であれば絶縁コートを施した金属板であってもよい。
【００５３】
上記した実施例１、２の配線分岐具Ｄは一例であり、Ｘ個の印加端子（Ｘは二以上の自然数）とＹ個のレシーブ端子（Ｙは二以上の自然数）とを備える解析処理装置の端子群を、配線分岐具によりＸ×Ｙ＝Ｖ個の対になる印加・レシーブ端子に分岐するものであればよい。
【図面の簡単な説明】
【００５４】
【図１】この発明の実施例１の遠距離間圧力分布計測システムを、列車の着座管理用システムに適用した場合の概念図。
【図２】前記列車の着座管理用システムに使用される圧力センサＳの平面図。
【図３】前記圧力センサＳの分解図。
【図４】前記システムに使用されている配線分岐路の配線の斜視図。
【図５】樹脂フィルム上に第１配線群の一部及び第１分岐配線群を印刷形成した状態を示す平面図。
【図６】スルーホールを有した絶縁層の平面図。
【図７】絶縁層上に、スルーホールを介して、第１配線群の一部と第１分岐配線群とを接続すべく印刷形成された配線群の平面図。
【図８】樹脂フィルム上に、一個の第２処理装置接続側端子、第２配線、第２分岐配線及び第２センサ接続側端子を印刷形成した状態を示す平面図。
【図９】第１基材と第２基材相互間に介在せしめられる中間絶縁層の平面図。
【図１０】前記圧力センサからの出力を解析処理装置により読み取らせるためのシステムの説明図。
【図１１】この発明の実施例２の遠距離間圧力分布計測システムを、移動管理用システムに適用した場合の概念図。
【符号の説明】
【００５５】
ＰＣ    解析処理装置
Ｓ      圧力センサ
Ｚ      座席
ＣＴ    コネクタ
ＳＴ    接続具
Ｄ      配線分岐具
Ａ      第１基材
Ｂ      第２基材
Ｃ      中間絶縁層
Ｈ      絶縁層
ｈ      スルーホール
Ｔ１    処理装置接続側の接続端子部
Ｔ２    センサ接続側の接続端子部
Ｆ１    樹脂フィルム
Ｆ２    樹脂フィルム
１      処理装置接続側の印加端子群
２      第１配線群
３      第１分岐配線群
４      センサ接続側の印加端子群
５      処理装置接続側のレシーブ端子群
９ａ    ベースフィルム
９ｂ    ベースフィルム
１０    印加端子
２０    配線
２１    配線群
３０    第１分岐配線
４０    印加端子                                                                ５０    レシーブ端子
６０    第２配線
７０    第２分岐配線
８０    レシーブ端子
９０    端子部                                                                  ９０ａ  レシーブ端子
９０ｂ  印加端子
９１    配線部                                                                  ９１ａ  配線
９１ｂ  配線
９２    感圧部
９２ａ  レシーブ電極
９２ｂ  印加電極
９２ａ’感圧インク層
９２ｂ’感圧インク層
【図１】
2006184255.tif 000003
【図２】
2006184255.tif 000004
【図３】
2006184255.tif 000005
【図４】
2006184255.tif 000006
【図５】
2006184255.tif 000007
【図６】
2006184255.tif 000008
【図７】
2006184255.tif 000009
【図８】
2006184255.tif 000010
【図９】
2006184255.tif 000011
【図１０】
2006184255.tif 000012
【図１１】
2006184255.tif 000013